(57)【要約】【課題】実施形態は、交流駆動時の色ムラを抑制できる半導体発光装置を提供する。【解決手段】実施形態に係る半導体発光装置は、複数の配線が設けられた実装面を有する実装基板と、前記実装面上に配置された半導体発光素子と、前記半導体発光素子の周りを覆う第１の樹脂と、前記第１の樹脂および前記半導体発光素子の上に設けられた第２の樹脂と、を備える。前記半導体発光素子は、発光層を有する半導体層と、前記半導体層に接続されたｐ側電極と、前記ｐ側電極と前記複数の配線のうちの１つとを接続するｐ側配線部と、前記半導体層に接続されたｎ側電極と、前記ｎ側電極と前記複数の配線のうちの他の１つとを接続するｎ側配線部と、を有する。前記第１の樹脂は、前記発光層の放射光により励起されるリン光材を含み、前記第２の樹脂は、前記発光層の放射光により励起され、前記発光層の放射光とはピーク波長が異なる光を放射する蛍光体を含む。【選択図】図１
2014139999.tif 000002
【特許請求の範囲】
【請求項１】
複数の配線が設けられた実装面を有する実装基板と、
前記実装面上に配置された半導体発光素子であって、
発光層を有する半導体層と、
前記半導体層に接続されたｐ側電極と、
前記ｐ側電極と前記複数の配線のうちの１つとを接続するｐ側配線部と、
前記半導体層に接続されたｎ側電極と、
前記ｎ側電極と前記複数の配線のうちの他の１つとを接続するｎ側配線部と、
前記ｐ側配線部と前記ｎ側配線部との間に設けられ、前記ｐ側配線部の側面および前記ｎ側配線部の側面に接する絶縁膜と、
を有する半導体発光素子と、
前記実装面上において前記半導体発光素子の周りを覆い、前記発光層の放射光により励起されるリン光材を含む第１の樹脂と、
前記第１の樹脂および前記半導体発光素子の上に設けられた第２の樹脂であって、前記発光層の放射光により励起され、前記発光層の放射光とはピーク波長が異なる光を放射する蛍光体を含む第２の樹脂と、
を備え、
前記ｐ側配線部は、前記ｐ側電極に電気的に接続されたｐ側配線層と、前記複数の配線のうちの１つに接続されたｐ側金属ピラーと、を含み、
前記ｎ側配線部は、前記ｎ側電極に電気的に接続されたｎ側配線層と、前記複数の配線のうちの他の１つに接続されたｎ側金属ピラーと、を含む半導体発光装置。
【請求項２】
複数の配線が設けられた実装面を有する実装基板と、
前記実装面上に配置された半導体発光素子であって、
発光層を有する半導体層と、
前記半導体層に接続されたｐ側電極と、
前記ｐ側電極と前記複数の配線のうちの１つとを接続するｐ側配線部と、
前記半導体層に接続されたｎ側電極と、
前記ｎ側電極と前記複数の配線のうちの他の１つとを接続するｎ側配線部と、
を有する半導体発光素子と、
前記実装面上において前記半導体発光素子の周りを覆い、前記発光層の放射光により励起されるリン光材を含む第１の樹脂と、
前記第１の樹脂および前記半導体発光素子の上に設けられた第２の樹脂であって、前記発光層の放射光により励起され、前記発光層の放射光とはピーク波長が異なる光を放射する蛍光体を含む第２の樹脂と、
を備えた半導体発光装置。
【請求項３】
前記リン光材の発光時間は、前記蛍光体の発光時間よりも長い請求項２記載の半導体発光装置。
【請求項４】
前記リン光材の放射光のピーク波長は、前記発光層の放射光のピーク波長よりも長い請求項２または３に記載の半導体発光装置。
【請求項５】
前記リン光材の放射光のピーク波長は、前記蛍光体の放射光のピーク波長と同じである請求項４記載の半導体発光装置。
【請求項６】
前記第１の樹脂は、前記実装面にマウントされた前記半導体発光素子の全体を覆う請求項２〜５のいずれか１つに記載の半導体発光装置。
【請求項７】
前記半導体層は、前記発光層の放射光を放出する第１の面と、前記第１の面とは反対側の第２の面と、を有し、
前記ｐ側配線部および前記ｎ側配線部は、前記第２の面側に設けられ、
前記半導体素子は、前記第２の面を前記実装面に向けてマウントされた請求項２〜６のいずれか１つに記載の半導体発光装置。
【請求項８】
前記第１の樹脂は、前記半導体層の前記第１の面を覆う請求項７記載の半導体発光装置。
【請求項９】
前記半導体発光素子は、前記第１の面の上に設けられ前記発光層の放射光を透過する層を有し、
前記発光層の放射光を透過する層は、前記発光層の放射光を散乱する散乱材を含む請求項７または８に記載の半導体発光装置。
【発明の詳細な説明】
【技術分野】
【０００１】
実施形態は、半導体発光装置に関する。
【背景技術】
【０００２】
半導体発光素子と、蛍光体と、を組み合わせ、白色光などの可視光やその他の波長帯の光を放射する半導体発光装置は、小型で扱い易い光源としてその用途が広がりつつある。このような半導体発光装置の駆動には、一般的に直流電源が用いられる。しかしながら、その製造コストを下げるために整流回路を省き、交流電源を用いて直接駆動する場合もある。
【先行技術文献】
【特許文献】
【０００３】
【特許文献１】特開２０１２−６０１８１号公報
【発明の概要】
【発明が解決しようとする課題】
【０００４】
実施形態は、交流駆動時の色ムラを抑制できる半導体発光装置を提供する。
【課題を解決するための手段】
【０００５】
実施形態に係る半導体発光装置は、複数の配線が設けられた実装面を有する実装基板と、前記実装面上に配置された半導体発光素子と、前記実装面上において前記半導体発光素子の周りを覆う第１の樹脂と、前記第１の樹脂および前記半導体発光素子の上に設けられた第２の樹脂と、を備える。前記半導体発光素子は、発光層を有する半導体層と、前記半導体層に接続されたｐ側電極と、前記ｐ側電極と前記複数の配線のうちの１つとを接続するｐ側配線部と、前記半導体層に接続されたｎ側電極と、前記ｎ側電極と前記複数の配線のうちの他の１つとを接続するｎ側配線部と、を有する。前記第１の樹脂は、前記発光層の放射光により励起されるリン光材を含み、前記第２の樹脂は、前記発光層の放射光により励起され、前記発光層の放射光とはピーク波長が異なる光を放射する蛍光体を含む。
【図面の簡単な説明】
【０００６】
【図１】実施形態に係る半導体発光装置を表す模式図。
【図２】実施形態に係る半導体発光素子を表す模式図。
【図３】実施形態に係る半導体発光装置の製造過程を表す模式断面図。
【図４】図３に続く製造過程を表す模式断面図。
【図５】実施形態に係る半導体発光装置を表す回路図。
【図６】実施形態の変形例に係る半導体発光装置を表す模式断面図。
【図７】実施形態の変形例に係る半導体発光装置を模式的に表す平面図。
【図８】実施形態に係る半導体発光装置の製造過程を表す模式図。
【図９】図８に続く製造過程を表す模式図。
【図１０】図９に続く製造過程を表す模式図。
【図１１】図１０に続く製造過程を表す模式図。
【図１２】図１１に続く製造過程を表す模式図。
【図１３】図１２に続く製造過程を表す模式図。
【図１４】図１３に続く製造過程を表す模式図。
【図１５】図１４に続く製造過程を表す模式図。
【図１６】図１５に続く製造過程を表す模式図。
【発明を実施するための形態】
【０００７】
以下、実施の形態について図面を参照しながら説明する。なお、図面中の同一部分には同一番号を付してその詳しい説明は適宜省略し、異なる部分について説明する。
【０００８】
図１は、実施形態に係る半導体発光装置１００を表す模式図である。半導体発光装置１００は、実装面１５０ａを有する実装基板１５０と、実装面１５０ａの上に配置された半導体発光素子１と、を備える。実装面１５０ａには、複数の配線１０３が設けられる。
【０００９】
半導体発光素子１は、発光層１３（図２参照）を有する半導体層１５を含む。そして、半導体層１５に設けられたｐ側電極１６（図２参照）と、ｐ側電極１６と複数の配線１０３のうちの１つを接続するｐ側配線部４１と、を有する。また、半導体層１５に設けられたｎ側電極１７（図２参照）と、ｎ側電極１７と複数の配線１０３のうちの他の１つを接続するｎ側配線部４３と、を有する。
【００１０】
半導体層１５は、発光層１３の放射光を放出する第１の面１５ａと、第１の面１５ａとは反対側の第２の面１５ｂと、を有する。ｐ側配線部４１およびｎ側配線部４３は、第２の面側に設けられる。そして、半導体発光素子１は、第２の面側を実装面１５０ａに向けてマウントされ、第１の面１５ａから発光層１３の放射光を放出する。
【００１１】
半導体発光装置１００は、実装面１５０ａの上において半導体発光素子１の周りを覆う第１の樹脂（以下、樹脂層１９０）と、第１の樹脂層および半導体発光素子１の上に設けられた第２の樹脂（以下、樹脂層１７０）と、を備える。
【００１２】
樹脂層１９０は、発光層１３の放射光により励起されるリン光材を含む。樹脂層１７０は、蛍光体１７１を含む。蛍光体１７１は、発光層１３から放射される光により励起され、発光層１３の放射光とはピーク波長の異なる光を放射する。
【００１３】
樹脂層１９０に含まれるリン光材は、蛍光体１７１よりも長い発光時間を有する。例えば、蛍光体１７１の発光は、励起光が消えた後、５０〜６０ナノ秒（ｎｓ）で消失する。（例えば、１／ｅの強度となる。ｅ：ネイピア数）一方、リン光材の発光は、蛍光体１７１の発光が消えた後も継続する。これにより、半導体発光装置１００の経時的な発光強度の変化を抑制することができる。例えば、半導体発光装置１００を交流電源を用いて駆動した場合、発光のちらつきを抑え、また、放射光の色ムラを抑制することができる。
【００１４】
また、樹脂層１９０に含まれるリン光材の放射光のピーク波長は、発光層１３の放射光のピーク波長よりも長い。好ましくは、リン光材の放射光のピーク波長は、蛍光体１７１の放射光のピーク波長と同じである。ここで、リン光材の放射光のピーク波長が蛍光体１７１の放射光のピーク波長と同じということは、厳密な一致に限らず、蛍光体１７１の放射光のピーク波長に近い波長である場合も含む。
【００１５】
次に、図２を参照して、半導体発光素子１の構造を説明する。図２は、実施形態に係る半導体発光素子１を表す模式断面図である。
【００１６】
半導体発光素子１は、発光層１３を含む半導体層１５を備える。半導体層１５は、第１の面１５ａと、その反対側の第２の面１５ｂ（図９（ａ）参照）と、を有する。また、半導体層１５は、発光層１３を含む部分１５ｅと、発光層１３を含まない部分１５ｆと、を有する。
【００１７】
半導体層１５は、第１の半導体層１１と、第２の半導体層１２と、発光層１３と、を有する。発光層１３は、第１の半導体層１１と、第２の半導体層１２と、の間に設けられる。第１の半導体層１１および第２の半導体層１２は、例えば、窒化ガリウムを含む。
【００１８】
発光層１３を含む部分１５ｅは、半導体層１５のうちで、発光層１３が積層されている部分である。発光層１３を含まない部分１５ｆは、半導体層１５のうちで、発光層１３が積層されていない部分である。
【００１９】
第１の半導体層１１は、例えば、下地バッファ層、ｎ型ＧａＮ層を含む。第２の半導体層１２は、例えば、ｐ型ＧａＮ層である。発光層１３は、青、紫、青紫、紫外光などを発光する材料を含む。
【００２０】
半導体層１５の第２の面１５ｂは、凹凸形状に加工される。その凸部は、発光層１３を含む部分１５ｅであり、凹部は、発光層１３を含まない部分１５ｆである。発光層１３を含む部分１５ｅの第２の面は、第２の半導体層１２の表面であり、その上にｐ側電極１６が設けられる。発光層１３を含まない部分１５ｆの第２の面は、第１の半導体層１１の表面であり、その上にｎ側電極１７が設けられる。
【００２１】
発光層１３は、ｐ側電極１６とｎ側電極１７との間に電流を流すことにより発光する。そして、発光層１３の放射光は、第１の面１５ａから外部に放出される。
【００２２】
例えば、半導体層１５の第２の面１５ｂにおいて、発光層１３を含む部分１５ｅの面積は、発光層１３を含まない部分１５ｆの面積よりも広く設けられる。また、発光層１３を含む部分１５ｅの上に設けられるｐ側電極１６の面積は、発光層１３を含まない部分の上に設けられるｎ側電極１７の面積よりも広い。これにより、広い発光面が得られ、光出力を高くできる。
【００２３】
半導体層１５の第２の面側には、第１の絶縁膜（以下、絶縁膜１８）が設けられる。絶縁膜１８は、半導体層１５、ｐ側電極１６およびｎ側電極１７を覆う。絶縁膜１８は、半導体層１５の第１の面１５ａの上には設けられない。
【００２４】
絶縁膜１８には、例えば、シリコン酸化膜、シリコン窒化膜等の無機膜を用いる。あるいは、微細開口のパターニング性に優れたポリイミド等の樹脂を用いても良い。なお、絶縁膜１８として樹脂を用いる場合、絶縁膜１８と半導体層１５との間に、例えば、シリコン酸化膜などの無機膜を設けても良い。無機膜は、発光層１３および第２の半導体層１２の側面を覆い保護する。
【００２５】
なお、本明細書において、「覆う」とは、覆うものが覆われるものに直接接する場合に限らず、他のものを介して覆う場合も含む。
【００２６】
絶縁膜１８の半導体層１５とは反対側の面上には、ｐ側配線層２１とｎ側配線層２２とが互いに離隔して設けられる。絶縁膜１８は、ｐ側電極１６に連通した第１の開口（以下、開口１８ａ）、および、ｎ側電極１７に連通した第２の開口（以下、開口１８ｂ）を含む。図１に示す例では、絶縁膜１８は複数の開口１８ａを含むが、１つの開口を含む形態でも良い。
【００２７】
ｐ側配線層２１は、絶縁膜１８の上、および、開口１８ａの内部にも設けられる。すなわち、ｐ側配線層２１は、開口１８ａを介してｐ側電極１６と電気的に接続される。ｎ側配線層２２は、絶縁膜１８の上、および、開口１８ｂの内部内にも設けられ、ｎ側電極１７と電気的に接続される。
【００２８】
ｐ側配線層２１のｐ側電極１６とは反対側の面上には、ｐ側金属ピラー２３が設けられる。ｐ側配線部４１は、ｐ側配線層２１およびｐ側金属ピラー２３を含む。
【００２９】
ｎ側配線層２２のｎ側電極１７とは反対側の面上には、ｎ側金属ピラー２４が設けられる。ｎ側配線部４３は、ｎ側配線層２２およびｎ側金属ピラー２４を含む。
【００３０】
ｐ側配線部４１とｎ側配線部４３との間には、第２の絶縁膜（以下、絶縁膜２５）が設けられる。すなわち、絶縁膜２５は、ｐ側金属ピラー２３とｎ側金属ピラー２４との間に充填され、絶縁膜１８およびｐ側配線部４１の側面、ｎ側配線部４３の側面を覆う。
【００３１】
図１に表すように、絶縁膜２５は、ｐ側金属ピラー２３の側面およびｎ側金属ピラー２４の側面を覆う。一方、ｐ側金属ピラー２３のｐ側配線層２１とは反対側の面は、絶縁膜２５から露出し、ｐ側外部端子２３ａとして機能する。ｎ側金属ピラー２４のｎ側配線層２２とは反対側の面は、絶縁膜２５から露出し、ｎ側外部端子２４ａとして機能する。
【００３２】
このように、ｐ側外部端子２３ａおよびｎ側外部端子２４ａは、絶縁膜２５の同じ面（図１における下面）に露出する。そして、その間隔は、絶縁膜１８上におけるｐ側配線層２１とｎ側配線層２２との間隔よりも広くすることが好ましい。すなわち、ｐ側外部端子２３ａとｎ側外部端子２４ａとの間隔は、例えば、実装時のはんだの広がりよりも大きくする。これにより、ｐ側外部端子２３ａおよびｎ側外部端子２４ａの間の短絡を防ぐことができる。
【００３３】
これに対し、ｐ側配線層２１と、ｎ側配線層２２と、の間隔は、プロセス上の限界まで狭くすることができる。そして、ｐ側配線層２１の面積を拡大し、ｐ側配線層２１とｐ側金属ピラー２３との接触面積を広くする。これにより、発光層１３の熱放散を促進する。
【００３４】
また、複数の開口１８ａを通じてｐ側配線層２１がｐ側電極１６と接する面積は、開口１８ｂを通じてｎ側配線層２２がｎ側電極１７と接する面積よりも大きくする。これにより、発光層１３に流れる電流の分布を均一化できる。
【００３５】
さらに、絶縁膜１８上に設けられるｎ側配線層２２の面積は、ｎ側電極１７の面積よりも広くすることが可能である。そして、ｎ側配線層２２の上に設けられるｎ側金属ピラー２４の面積（すなわち、ｎ側外部端子２４ａの面積）をｎ側電極１７よりも広くできる。これにより、実装に要するｎ側外部端子２４ａの面積を維持しながら、ｎ側電極１７の面積を小さくすることが可能となる。例えば、半導体層１５における発光層１３を含まない部分１５ｆの面積を縮小し、発光層１３を含む部分１５ｅの面積を拡大して光出力を向上させることが可能となる。
【００３６】
第１の半導体層１１は、ｎ側電極１７およびｎ側配線層２２を介してｎ側金属ピラー２４と電気的に接続される。第２の半導体層１２は、ｐ側電極１６およびｐ側配線層２１を介してｐ側金属ピラー２３と電気的に接続される。
【００３７】
例えば、ｐ側金属ピラー２３はｐ側配線層２１よりも厚く、ｎ側金属ピラー２４はｎ側配線層２２よりも厚い。ｐ側金属ピラー２３、ｎ側金属ピラー２４および絶縁膜２５の厚さは、それぞれ半導体層１５よりも厚くすることができる。なお、ここで言う「厚さ」とは、図２における上下方向の各層の幅である。
【００３８】
また、ｐ側金属ピラー２３およびｎ側金属ピラー２４のそれぞれの厚さは、半導体層１５、ｐ側電極１６、ｎ側電極１７および絶縁膜１８を含む積層体の厚さよりも厚くすることができる。
【００３９】
各金属ピラー２３、２４のアスペクト比（平面サイズに対する厚みの比）は任意であり、例えば、１以上であっても良いし、１より小さくても良い。すなわち、金属ピラー２３、２４は、その平面サイズより厚くても良いし、薄くても良い。
【００４０】
実施形態によれば、半導体層１５を形成するために使用する基板１０（図８参照）が除去されても、半導体層１５は、ｐ側金属ピラー２３、ｎ側金属ピラー２４および絶縁膜２５により安定して支持される。このため、半導体発光素子１の機械的強度は、基板１０を除去した後の処理に耐えるレベルに保持することができる。
【００４１】
ｐ側配線層２１、ｎ側配線層２２、ｐ側金属ピラー２３およびｎ側金属ピラー２４の材料として、例えば、銅、金、ニッケル、銀などを用いることができる。これらのうちの銅を用いると、良好な熱伝導性、高いマイグレーション耐性および絶縁材料に対する密着性を向上させることができる。
【００４２】
絶縁膜２５は、ｐ側金属ピラー２３およびｎ側金属ピラー２４を補強する。絶縁膜２５は、実装基板と熱膨張率が同じもしくは近いものを用いるのが望ましい。そのような絶縁膜２５として、例えば、エポキシ樹脂、シリコーン樹脂、フッ素樹脂などを挙げることができる。
【００４３】
半導体発光素子１の実装過程では、ｐ側外部端子２３ａおよびｎ側外部端子２４ａを実装基板に接続するはんだ等の部材に起因する応力が半導体層１５に加わるが、ｐ側金属ピラー２３およびｎ側金属ピラー２４は、この応力を吸収し緩和する。
【００４４】
本実施形態では、ｐ側配線層２１およびｐ側金属ピラー２３を含むｐ側配線部４１は、複数の開口１８ａの内部に設けられ相互に離隔された複数のビア２１ａを介して、ｐ側電極１６に接続される。例えば、複数のビア２１ａの接触面積を合わせた面積を有する１つのビアを介してｐ側配線部４１をｐ側電極１６に接続する場合よりも、半導体層１５に加わる応力を低減できる。
【００４５】
一方、ｐ側配線層２１は、１つの大きな開口の内部に設けられビア２１ａよりも平面サイズの大きなポストを介してｐ側電極１６に接続させても良い。これにより、ｐ側電極１６、ｐ側配線層２１およびｐ側金属ピラー２３を介した放熱性の向上を図ることができる。
【００４６】
後述するように、半導体層１５の形成に用いた基板１０は、半導体層１５から除去される。これにより、半導体発光素子１は低背化される。さらに、基板１０を除去した半導体層１５の第１の面１５ａには、微小な凹凸を形成する。例えば、第１の面１５ａに対して、アルカリ系溶液を使ったウェットエッチング（フロスト処理）を行い凹凸を形成する。これにより、発光層１３の放射光を全反射させることなく、第１の面１５ａから外側に取り出すことが可能となる。
【００４７】
半導体発光素子１は、第１の面１５ａの側において、半導体層１５および絶縁膜１８の上に設けられ、発光層１３の放射光を透過する絶縁層３６をさらに備える。絶縁層３６は、例えば、シリコン酸化膜またはシリコン窒化膜などの無機膜である。また、絶縁層３６は、シリコーン樹脂またはエポキシ樹脂などの樹脂層であっても良い。
【００４８】
次に、図３および図４を参照して、半導体発光装置１００の製造過程を説明する。図３（ａ）〜図４（ｂ）は、実施形態に係る半導体発光装置１００の製造過程を表す模式断面図である。
【００４９】
まず、図３（ａ）に表すように、実装基板１５０の実装面１５０ａの上に複数の半導体発光素子１をマウントする。実装基板１５０は、例えば、金属ベース１０１と、金属ベース１０１の上に設けられた絶縁層１０２と、絶縁層１０２の上に設けられた複数の配線１０３と、を有する。実装基板１５０は、配線１０３と、絶縁層１０２と、を覆うソルダーレジスト１０７を含む。
【００５０】
半導体発光素子１は、ｐ側配線部４１およびｎ側配線部４３を露出させた絶縁膜２５の面を実装面１５０ａに向けてマウントされる。そして、ｐ側配線部４１およびｎ側配線部４３を、例えば、ハンダ１０５を介して配線１０３に接続する。本実施形態では、例えば、複数の半導体発光素子１が配線１０３を介して直列接続される。すなわち、隣り合う半導体発光素子１の間において、一方のｐ側配線部４１が、共通する配線１０３を介して他方のｎ側配線部４３に接続される。
【００５１】
次に、図３（ｂ）に表すように、実装基板１５０の上にマウントされた複数の半導体発光素子１、および、隣り合う半導体発光素子１の間の実装面１５０ａを覆う樹脂層１９０を形成する。樹脂層１９０は、例えば、シリコーン樹脂であり、リン光材を含む。リン光材には、例えば、イリジウムなどの金属錯体を用いることができる。
【００５２】
次に、図４（ａ）に表すように、樹脂層１９０の半導体発光素子１の上に形成された部分を除去し、隣り合う半導体発光素子１の間に樹脂層１９０を残す。例えば、半導体発光素子１の上に形成された樹脂層１９０を研削により除去する。
【００５３】
次に、図４（ｂ）に表すように、半導体発光素子１および樹脂層１９０の上に樹脂層１７０を形成し、半導体発光装置１００を完成する。樹脂層１７０は、例えば、蛍光体１７１が分散されたシリコーン樹脂である。発光層１３が青色光を放射する場合、蛍光体１７１には、例えば、黄色の蛍光を放射するＹＡＧ蛍光体もしくはαサイアロン系蛍光体を用いる。また、緑色および赤色の蛍光を放射する窒化物系蛍光体を混合しても良い。
【００５４】
図５は、実施形態に係る半導体発光装置１００を表す回路図である。半導体発光装置１００は、例えば、半導体発光素子１ａが直列に接続された第１の発光素子群と、半導体発光素子１ｂが直列に接続された第２の発光素子群を含む。
【００５５】
第１の発光素子群および第２の発光素子群は、それぞれ交流電源２０１に並列に接続される。そして、第１の発光素子群は、交流電源２０１に対し、第２の発光素子群とは逆方向に接続される。すなわち、交流電源２０１により半導体発光装置１００を駆動する場合、第１の発光素子群と第２の発光素子群は、交互に発光する。
【００５６】
このような駆動方式を用いた場合、例えば、第１の発光素子群が消灯され第２の発光素子群が点灯される間に輝度が低下する時間が生じる。これがちらつきや色ムラとなって視認される。本実施形態では、半導体発光素子１の輝度が低下し消灯しても、隣り合う半導体発光素子１の間に設けられた樹脂層１９０に含まれるリン光材の発光が継続する。これにより、半導体発光装置１００では、発光のちらつきや色ムラを抑制することができる。
【００５７】
図６（ａ）および図６（ｂ）は、実施形態の変形例に係る半導体発光装置２００および３００を表す模式断面図である。
【００５８】
図６（ａ）に示す半導体発光装置２００は、実装基板１５０と、実装面１５０ａの上に配置された半導体発光素子１と、を備える。そして、実装面１５０ａにマウントされた半導体発光素子１の全体を覆う樹脂層１９０と、樹脂層１９０の上に設けられた樹脂層１７０と、をさらに備える。
【００５９】
すなわち、樹脂層１９０は、半導体発光素子１の周りに設けられた部分１９０ａと、絶縁層３６の上に設けられた部分１９０ｂと、を有する。そして、樹脂層１９０は、発光層１３の放射光により励起されるリン光材を含む。樹脂層１７０は、発光層１３から放射される光により励起され、励起光とは波長の異なる光を放射する蛍光体１７１を含む。
【００６０】
例えば、図４（ａ）に表すように絶縁層３６の上に形成された樹脂層１９０を完全に除去する必要はなく、絶縁層３６の上に薄い樹脂層１９０ｂが残っても良い。樹脂層１９０に含まれるリン光材の発光効率が蛍光体１７１の発光効率よりも低い場合には、樹脂層１９０ｂの厚さは薄いほど良い。
【００６１】
図６（ｂ）に示す半導体発光装置３００は、実装基板１５０と、実装面１５０ａの上に配置された半導体発光素子２と、を備える。そして、半導体発光素子２の周りを覆う樹脂層１９０と、半導体発光素子２および樹脂層１９０の上に設けられた樹脂層１７０と、をさらに備える。
【００６２】
半導体発光素子２は、半導体層１５と、その第２の面１５ｂの側に設けられたｐ側配線部４１と、ｎ側配線部４３と、を備える。ｐ側配線部４１は、半導体層１５の発光層１３を含む部分１５ｅの上に設けられたｐ側電極１６に電気的に接続される。ｎ側配線部４３は、半導体層１５の発光層１３を含まない部分１５ｆの上に設けられたｎ側電極１７に電気的に接続される。
【００６３】
さらに、半導体発光素子２は、半導体層１５の第１の面１５ａの側に設けられた絶縁層５６を有する。絶縁層５６は、発光層１３の放射光を散乱する散乱材５７を含む。散乱材５７には、例えば、シリカの微粒子を用いることができる。そして、散乱材５７は、半導体層１５の第１の面１５ａから放射される光の分布を均一化し、半導体発光素子１の配光角を広げる。これにより、半導体発光装置３００の輝度分布の均一性を向上させることができる。
【００６４】
図７（ａ）および図７（ｂ）は、実施形態の変形例に係る半導体発光装置４００および５００を模式的に表す平面図である。
【００６５】
図７（ａ）に表す半導体発光装置４００は、実装基板１５０の上に千鳥状に配置された複数の半導体発光素子１を含む。すなわち、半導体発光素子１は、Ｘ方向に等間隔に並設される。そして、Ｙ方向において、Ｘ方向の配列の位相が交互にシフトするように配置される。複数の半導体発光素子１をこのように配置することにより、発光点の並びの規則性が乱され、面光源としての発光ムラを抑制することができる。また、半導体発光素子１から横方向に放射される光の相互干渉を抑制することもできる。
【００６６】
図７（ｂ）に示す半導体発光装置５００では、実装基板１５０の上に千鳥状に配置された複数の半導体発光素子２を含む。半導体発光素子２は、半導体層１５の第１の面側に散乱材５７を含む絶縁層５６を有し、その配光角が広げられる。このため、実装基板１５０の上における配置間隔を広げることが可能となる。
【００６７】
図７（ｂ）に示す例では、Ｘ方向およびＹ方向における配置間隔を、それぞれの方向の半導体発光素子２のサイズよりも広くする。すなわち、隣り合う半導体発光素子２の間隔は、任意の方向において同じ方向の半導体発光素子２のサイズよりも広い。これにより、半導体発光素子１の熱を実装基板１５０を介して効率よく放散させることができる。
【００６８】
次に、図８（ａ）〜図１６（ｂ）を参照して、実施形態に係る半導体発光素子１の製造方法について説明する。図８（ａ）〜図１６（ｂ）は、実施形態に係る半導体発光素子１の製造過程を表す模式図である。
【００６９】
図８（ａ）は、基板１０の主面上に形成された第１の半導体層１１、第２の半導体層１２および発光層１３を表す断面図である。例えば、ＭＯＣＶＤ（metal organic chemical vapor deposition）法を用いて、基板１０の上に第１の半導体層１１、発光層１３および第２の半導体層１２を順に成長させる。基板１０は、例えば、シリコン基板である。また、基板１０としてサファイア基板を用いても良い。第１の半導体層１１、発光層１３および第２の半導体層１２は、例えば、窒化物半導体であり、窒化ガリウム（ＧａＮ）を含む。
【００７０】
第１の半導体層１１は、例えば、ｎ形ＧａＮ層である。また、第１の半導体層１１は、基板１０の上に設けられたバッファ層と、バッファ層の上に設けられたｎ形ＧａＮ層と、を含む積層構造を有しても良い。第２の半導体層１２は、例えば、発光層１３の上に設けられたｐ形ＡｌＧａＮ層と、その上に設けられたｐ形ＧａＮ層と、を含む。
【００７１】
図８（ｂ）および図８（ｃ）は、第２の半導体層１２および発光層１３を選択的に除去した状態を表している。図８（ｂ）は断面図であり、図８（ｃ）は、基板１０の上面側を表す平面図である。
【００７２】
図８（ｂ）に示すように、例えば、ＲＩＥ（Reactive Ion Etching）法を用いて、第２の半導体層１２および発光層１３を選択的にエッチングし、第１の半導体層１１を露出させる。
【００７３】
図８（ｃ）に示すように、半導体層１２および発光層１３は島状にパターニングされ、基板１０の上に複数の発光領域（発光層１３を含む部分１５ｅ）が形成される。
【００７４】
次に、図９（ａ）および図９（ｂ）に表すように、第１の半導体層１１を選択的に除去し、基板１０の上に複数の半導体層１５を形成する。
【００７５】
図９（ａ）は、基板１０およびその上に形成された半導体層１５の断面を表している。例えば、第２の半導体層１２および発光層１３を覆うエッチングマスク（図示しない）を第１の半導体層１１の上に設ける。続いて、ＲＩＥ法を用いて第１の半導体層１１をエッチングし、基板１０に至る深さの溝８０を形成する。
【００７６】
図９（ｂ）は、半導体層１５が設けられた基板１０の上面を表している。溝８０は、基板１０の上に格子状に設けられ、第２の半導体層１１を複数の半導体層１５に分離する。
【００７７】
半導体層１５の第１の面１５ａは、基板１０に接する面であり、第２の面１５ｂは、第１の半導体層１１および第２の半導体層１２の表面である。また、溝８０は、基板１０の上面をエッチングし、第１の面１５ａよりも深い位置に設けられる。
【００７８】
溝８０は、ｐ側電極１６およびｎ側電極１７を形成した後（図１０参照）に形成しても良い。
【００７９】
次に、図１０（ａ）および図１０（ｂ）に表すように、半導体層１５の第２の面１５ｂにｐ側電極１６とｎ側電極１７とを形成する。図１０（ａ）は断面図であり、図１０（ｂ）は、基板１０の上面を表す平面図である。
【００８０】
ｐ側電極１６は、第２の半導体層１２の上に形成する。ｎ側電極１７は、第１の半導体層１１の上に形成する。ｐ側電極１６は、ｎ側電極よりも広い面積を有する。
【００８１】
ｐ側電極１６およびｎ側電極１７は、例えば、スパッタ法、蒸着法等で形成する。ｐ側電極１６とｎ側電極１７は、どちらを先に形成してもよいし、同じ材料で同時に形成してもよい。ｐ側電極１６は、発光層１３の放射光を反射するように形成する。例えば、ｐ側電極１６は、銀、銀合金、アルミニウム、アルミニウム合金等を含む。また、ｐ側電極１６の硫化、酸化防止のため、金属保護膜（バリアメタル）を含む構成であってもよい。また、各電極と半導体層との間のオーミックコンタクトを形成するために、熱処理を必要に応じて実施する。
【００８２】
次に、図１１（ａ）に表すように、基板１０の上面に絶縁膜１８を形成する。図１１（ａ）は、基板１０および半導体層１５の断面を表す模式図である。
【００８３】
絶縁膜１８は、基板１０の上に設けられた構造を覆い、第１の開口（以下、開口１８ａ）および第２の開口（以下、１８ｂ）を有する。
【００８４】
絶縁膜１８は、例えば、シリコン酸化膜またはシリコン窒化膜であり、ＣＶＤ（Chemical Vapor Deposition）法を用いて形成することができる。開口１８ａおよび１８ｂは、例えば、レジストマスクを用いたウェットエッチングにより形成する。開口１８ａは、ｐ側電極１６に連通する。開口１８ｂは、ｎ側電極１７に連通する。本実施形態では、絶縁膜１８は、複数の開口１８ａと、１つの開口１８ｂと、を含む。
【００８５】
絶縁膜１８として、例えば、ポリイミドなどの有機膜を用いても良い。また、絶縁膜１８に感光性ポリイミド、ベンゾシクロブテン（Benzocyclobutene）などの有機膜を用いると、直接露光および現像ができる。このため、開口１８ａおよび１８ｂのパターニングが容易になる。
【００８６】
次に、図１１（ｂ）〜図１２（ｂ）は、ｐ側配線層２１およびｎ側配線層２２の形成過程を表している。図１１（ｂ）〜図１２（ａ）は、基板１０および半導体層１５の断面を表す模式図であり、図１２（ａ）は、基板１０の上面を表す平面図である。
【００８７】
図１１（ｂ）に表すように、絶縁膜１８の表面、第１の開口１８ａの内面（側壁および底面）、および第２の開口１８ｂの内面（側壁および底面）に、金属膜１９を形成する。金属膜１９は、メッキ工程におけるシードメタルとして機能する。
【００８８】
金属膜１９は、例えば、絶縁膜１８の側から順にチタン（Ｔｉ）および銅（Ｃｕ）を含むように、スパッタ法を用いて形成する。チタンの代わりにアルミニウムを用いても良い。
【００８９】
次に、図１１（ｃ）に示すように、金属膜１９上にレジストマスク９１を形成する。レジストマスク９１は、開口９１ａと開口９２ｂとを含む。開口９１ａは、ｐ側電極１６の上に設けられ、開口９２ｂは、ｎ側電極１７の上に設けられる。
【００９０】
続いて、図１２（ａ）および図１２（ｂ）に表すように、電界銅メッキを用いてｐ側配線層２１およびｎ側配線層２２を形成する。すなわち、金属膜１９を電流経路として、レジストマスク９１の開口９１ａおよび９１ｂの内部に銅（Ｃｕ）層を選択的に形成する。
【００９１】
図１２（ａ）に表すように、ｐ側配線層２１は、絶縁膜１８の上、および、開口１８ａの内部にも形成される。ｐ側配線層２１は、ｐ側電極１６に電気的に接続される。ｎ側配線層２２は、絶縁膜１８の上、および、開口１８ｂの内部にも形成される。ｎ側配線層２２は、ｎ側電極１７に電気的に接続される。
【００９２】
図１２（ｂ）に表すように、ｐ側配線層２１とｎ側配線層２２は、レジストマスク９１ｇを挟んで向き合う。すなわち、ｐ側配線層２１とｎ側配線層２２の間隔は、フォトリソグラフィの限界まで狭く設けることができる。
【００９３】
次に、図１３（ａ）〜図１３（ｃ）は、ｐ側配線層２１およびｎ側配線層２２の形成過程を表している。図１３（ａ）および図１３（ｂ）は、基板１０および半導体層１５の断面を表す模式図であり、図１３（ｃ）は、基板１０の上面を表す平面図である。
【００９４】
図１３（ａ）に表すように、開口９２ａと開口９２ｂとを有するレジストマスク９２を形成する。例えば、レジストマスク９１を溶剤もしくは酸素プラズマを使って除去した後、フォトリソグラフィを用いて新たにレジストマスク９１を形成する。また、レジストマスク９１の上に、レジストマスク９２を重ねて形成しても良い。
【００９５】
続いて、図１３（ｂ）に示すように、開口９２ａおよび９２ｂの内部にそれぞれｐ側金属ピラー２３およびｎ側金属ピラー２４を形成する。ｐ側金属ピラー２３およびｎ側金属ピラー２４は、例えば、電界Ｃｕメッキを用いて形成する。
【００９６】
図１３（ｃ）に示すように、ｐ側金属ピラー２３とｎ側金属ピラー２４は、レジストマスク９２ｇを挟んで向き合う。ｐ側金属ピラー２３とｎ側金属ピラー２４の間隔は、実装時の短絡を防ぐために、ｐ側配線層２１とｎ側配線層２２の間隔よりも広く形成する。
【００９７】
図１４（ａ）〜図１４（ｃ）は、図１３（ｃ）に続く工程を表す模式断面図である。  図１４（ａ）に表すように、レジストマスク９２を、例えば、溶剤もしくは酸素プラズマを用いて除去する。続いて、図１４（ｂ）に表すように、金属ピラー２３、ｎ側金属ピラー２４、ｐ側配線層２１およびｎ側配線層２２をマスクとして、金属膜１９の露出部分をウェットエッチングにより除去する。これにより、ｐ側配線層２１とｎ側配線層２２との間の電気的な接続が分断される。
【００９８】
次に、図１４（ｃ）に表すように、絶縁膜１８の上に第２の絶縁膜（以下、絶縁膜２５）を積層する。絶縁膜２５は、ｐ側配線層２１、ｎ側配線層２２、ｐ側金属ピラー２３およびｎ側金属ピラー２４を覆う。
【００９９】
絶縁膜２５は、ｐ側配線部４１からｎ側配線部４３を絶縁する。絶縁膜２５は、例えば、カーボンブラックを含有し、発光層１３の放射光を遮光する。また、絶縁膜２５は、例えば、酸化チタンなど、発光層１３の放射光を反射する部材を含有しても良い。
【０１００】
次に、図１５（ａ）〜図１５（ｃ）に示すように、半導体層１５の第１の面１５ａの側の処理を行う。図１５（ａ）〜図１５（ｃ）は、各工程を表す模式断面図である。
【０１０１】
図１５（ａ）に示すように、半導体層１５から基板１０を除去する。基板１０がシリコン基板の場合、例えば、ウェットエッチングにより基板１０を選択的に除去することができる。基板１０がサファイア基板の場合には、例えば、レーザーリフトオフ法を用いて基板１０を除去する。
【０１０２】
基板１０の上に形成した構造体は、基板１０を除去した後も絶縁膜２５により支持され、ウェーハ状態を保つ。半導体層１５は、ｐ側金属ピラー２３、ｎ側金属ピラー２４および絶縁膜２５により支持される。これらは、半導体層１５に比べて柔軟な材料であり、その応力を緩和する。例えば、基板１０の上にエピタキシャル成長された半導体層は、大きな内部応力を含む。そして、その応力が基板１０の剥離時に一気に開放されたとしても、ｐ側金属ピラー２３、ｎ側金属ピラー２４および絶縁膜２５は、その応力を吸収する。このため、基板１０を除去する過程における半導体層１５の破損を回避することができる。
【０１０３】
次に、半導体層１５の第１の面１５ａに微細な凹凸を形成する。例えば、ＫＯＨ（水酸化カリウム）水溶液やＴＭＡＨ（水酸化テトラメチルアンモニウム）等で、第１の半導体層１１をウェットエッチングする。このエッチングでは、結晶面方位に依存したエッチング速度の違いが生じる。このため、図１５（ａ）に表すように、第１の面１５ａに凹凸を形成することができる。また、第１の面１５ａの上にレジストマスクを形成し、第１の半導体層１１の表面を選択的にエッチングしても良い。このように、第１の面１５ａに凹凸を形成することにより、発光層１３の放射光の取り出し効率を向上させることができる。
【０１０４】
次に、図１５（ｂ）に表すように、第１の面１５ａの上に絶縁層３６を形成する。絶縁層３６は、例えば、シリコーン樹脂またはエポキシ樹脂を含み、第１の面１５ａに設けられた凹凸を被覆する。
【０１０５】
隣り合う半導体層１５の間の絶縁膜１８は、溝８０の底面に形成された部分である。したがって、図１５（ｂ）における絶縁膜１８の上面１８ｃは、第１の面１５ａよりも上方に突出する。このため、絶縁層３６は、絶縁膜１８の上に設けられる部分が第１の面１５ａの上に設けられる部分よりも薄くなる。
【０１０６】
また、絶縁層３６は、例えば、シリコン酸化膜またはシリコン窒化膜などの無機膜であっても良い。
【０１０７】
続いて、半導体層１５の第２の面１５ｂの側において、絶縁膜２５の表面を研削し、ｐ側金属ピラー２３およびｎ側金属ピラー２４を露出させる。ｐ側金属ピラー２３の露出面は、ｐ側外部端子２３ａであり、ｎ側金属ピラー２４の露出面は、ｎ側外部端子２４ａである。
【０１０８】
次に、図１６（ａ）および図１６（ｂ）に示すように、隣り合う半導体層１５の間において、絶縁層３６、絶縁膜１８および絶縁膜２５を切断する。これにより、半導体層１５を含む半導体発光素子１を個片化する。図１６（ａ）は、半導体発光素子１の断面を表し、図１６（ｂ）は、ｐ側外部端子２３ａおよびｎ側外部端子２４ａが露出した絶縁膜２５の表面を表している。
【０１０９】
絶縁層３６、絶縁膜１８および絶縁膜２５の切断は、例えば、ダイシングブレードを用いて行う。また、レーザ照射により切断しても良い。
【０１１０】
半導体層１５は、溝８０に存在しないためダイシングによるダメージを受けることがない。また、個片化された時点で、半導体層１５の端部（側面）が絶縁膜１８で覆われ保護された構造が得られる。
【０１１１】
ダイシングする前の工程は、ウェーハ状態で一括して行われるため、個片化された個々のデバイスごとに、配線およびパッケージングを行う必要がなく、大幅なコストの低減が可能になる。すなわち、個片化された状態で、すでに配線およびパッケージングが施されている。このため、本実施形態によれば、生産性を高めることが可能であり、製造コストを低減できる。
【０１１２】
上記の実施形態では、実装基板１５０の上に半導体発光素子１を配置する例を示したが、これに限定される訳ではない。例えば、ｐ側電極およびｎ側電極を実装面とは反対側に有する半導体発光素子でも良い。また、ｐ側電極およびｎ側電極が半導体層の第１の面側および第２の面側にそれぞれ設けられた縦型構造を有する半導体発光素子であっても良い。
【０１１３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１４】
１、１ａ、１ｂ、２・・・半導体発光素子、  １０・・・基板、  １１・・・第１の半導体層、  １２・・・第２の半導体層、  １３・・・発光層、  １５・・・半導体層、  １５ａ・・・第１の面、  １５ｂ・・・第２の面、  １６・・・ｐ側電極、  １７・・・ｎ側電極、  １８、２５・・・絶縁膜、  １８ａ、１８ｂ、９１ａ、９１ｂ、９２ａ、９２ｂ・・・開口、  １８ｃ・・・上面、  １９・・・金属膜、  ２１・・・ｐ側配線層、  ２１ａ・・・ビア、  ２２・・・ｎ側配線層、  ２３・・・ｐ側金属ピラー、  ２３ａ・・・ｐ側外部端子、  ２４・・・ｎ側金属ピラー、  ２４ａ・・・ｎ側外部端子、  ３６、５６・・・絶縁層、  ４１・・・ｐ側配線部、  ４３・・・ｎ側配線部、  ５７・・・散乱材、  ８０・・・溝、  ９１、９１ｇ、９２、９２ｇ・・・レジストマスク、  １００、２００、３００、４００、５００・・・半導体発光装置、  １０１・・・金属ベース、  １０２・・・絶縁層、  １０３・・・配線、  １０５・・・ハンダ、  １０７・・・ソルダーレジスト、  １５０・・・実装基板、  １５０ａ・・・実装面、  １７０・・・樹脂層、  １７１・・・蛍光体、  １９０・・・樹脂層、  ２０１・・・交流電源
【図１】
2014139999.tif 000003
【図２】
2014139999.tif 000004
【図３】
2014139999.tif 000005
【図４】
2014139999.tif 000006
【図５】
2014139999.tif 000007
【図６】
2014139999.tif 000008
【図７】
2014139999.tif 000009
【図８】
2014139999.tif 000010
【図９】
2014139999.tif 000011
【図１０】
2014139999.tif 000012
【図１１】
2014139999.tif 000013
【図１２】
2014139999.tif 000014
【図１３】
2014139999.tif 000015
【図１４】
2014139999.tif 000016
【図１５】
2014139999.tif 000017
【図１６】
2014139999.tif 000018